(57)【要約】【課題】複数のＬＥＤから成るＬＥＤバックライトを備える液晶表示装置において、各ＬＥＤの寿命を管理する。【解決手段】液晶表示装置１００において、光源の各々に複数のＬＥＤを備え、算出手段は、光源毎に、対応するサブ表示領域内の画素の画像信号から当該光源の輝度を算出し、決定手段は、光源毎に、算出手段により算出された輝度を得るために最低限必要なＬＥＤの数を決定し、決定した数分のＬＥＤを、複数のＬＥＤのうちから所定の順番で決定し、発光制御手段は、決定手段により決定されたＬＥＤのみを発光させる。【選択図】図１
2010026208.tif 000002
【特許請求の範囲】
【請求項１】
複数のサブ表示領域に分割された液晶パネルと、当該サブ表示領域の各々に対応する複数の光源から成るＬＥＤバックライトと、を備える液晶表示装置において、
前記光源の各々は、複数のＬＥＤを備え、
前記光源毎に、対応する前記サブ表示領域内の画素の画像信号から当該光源の必要とする輝度を算出する算出手段と、
前記光源毎に、前記算出手段により算出された輝度を得るために最低限必要なＬＥＤの数を決定し、決定した数分のＬＥＤを、前記複数のＬＥＤのうちから所定の順番で決定する決定手段と、
前記決定手段により決定されたＬＥＤのみを発光させる発光制御手段と、
を備えることを特徴とする液晶表示装置。
【請求項２】
前記光源毎に、各ＬＥＤの累積発光時間を記憶する記憶手段を備え、
前記決定手段は、前記記憶手段に基づいて、光源毎に、各ＬＥＤの累積発光時間の差が小さくなるように、ＬＥＤを決定することを特徴とする請求項１に記載の液晶表示装置。  
【請求項３】
前記発光制御手段は、
前記記憶手段に記憶されたＬＥＤの累積発光時間が、予め設定された基準時間を超えた場合に、前記算出手段により算出された前記輝度よりも光源の輝度が高くなるように、ＬＥＤの発光輝度を高くする制御を行う発光輝度制御手段を備えることを特徴とする請求項２に記載の液晶表示装置。
【請求項４】
前記光源内における各ＬＥＤの配置位置を記憶する第２記憶手段と、
前記第２記憶手段に基づいて、前記決定手段により決定されたＬＥＤの配置位置を特定し、特定した配置位置に基づいて、各サブ表示領域における各画素の輝度値を、発光するＬＥＤからの距離により生じる輝度の過不足分を補填するように補正する補正手段と、
を備えることを特徴とする請求項１〜３の何れか一項に記載の液晶表示装置。
【請求項５】
複数のサブ表示領域に分割された液晶パネルと、当該サブ表示領域の各々に対応する複数の光源から成るＬＥＤバックライトと、を備える液晶表示装置において、
前記光源の各々は、複数のＬＥＤを備え、
前記光源毎に、各ＬＥＤの累積発光時間を記憶する第１記憶手段と、
前記光源内における各ＬＥＤの配置位置を記憶する第２記憶手段と、
前記光源毎に、対応する前記サブ表示領域内の画素の画像信号から当該光源の必要とする輝度を算出する算出手段と、
前記光源毎に、前記算出手段により算出された輝度を得るために最低限必要なＬＥＤの数を決定し、前記第１記憶手段に基づいて、決定した数分のＬＥＤを、各ＬＥＤの累積発光時間の差が小さくなるように、前記複数のＬＥＤのうちから決定する決定手段と、
前記決定手段により決定されたＬＥＤのみを発光させる発光制御手段と、
前記第２記憶手段に基づいて、前記決定手段により決定されたＬＥＤの配置位置を特定し、特定した配置位置に基づいて、各サブ表示領域における各画素の輝度値を、発光するＬＥＤからの距離により生じる輝度の過不足分を補填するように補正する補正手段と、
を備え、
前記発光制御手段は、
前記第１記憶手段に記憶されたＬＥＤの累積発光時間が、予め設定された基準時間を超えた場合に、前記算出手段により算出された前記輝度よりも光源の輝度が高くなるように、ＬＥＤの発光輝度を高くする制御を行う発光輝度制御手段を備えることを特徴とする液晶表示装置。
【発明の詳細な説明】
【技術分野】
【０００１】
本発明は、ＬＥＤバックライトを用いた液晶表示装置に関する。
【背景技術】
【０００２】
液晶表示装置では、液晶パネルの背面側からバックライト光を照射することで、液晶パネル上に画像を映出する。
このような液晶表示装置に用いるバックライトとして、近年、液晶パネルの直下に、複数のＬＥＤ(Light Emitting Diode)を配列するＬＥＤバックライトの開発が進められている（例えば、特許文献１参照）。
また、このようなＬＥＤバックライトを、複数のＬＥＤから成るグループに分け、各ＬＥＤの電流値の変化幅が小さくなるように、グループ毎にＬＥＤの発光輝度を制御する液晶表示装置も知られている（例えば、特許文献２参照）。
【０００３】
ところで、ＬＥＤには、長期間使用すると発光輝度が低下する特性がある。経年変化によって寿命を迎えたＬＥＤは、発光輝度が大幅に（例えば、７０％）低下し、画質に多大な悪影響を及ぼすため、液晶表示装置の普及に伴い、ＬＥＤの長寿命化を図る技術が求められている。
ここで、ＬＥＤは、発熱によって発光効率が低下する難点がある。そのため、ＬＥＤの発光後に、少なくともＬＥＤが十分に放熱できるまでＬＥＤを非発光とすると、ＬＥＤの発光効率の低下を防止することができる。すなわち、ＬＥＤに流す電流値を低下させつつ常時ＬＥＤを発光させる場合よりも、ＬＥＤに流す電流値を低下させずに、発光時間と非発光時間とを繰り返して、ＬＥＤを休ませる時間を確保しながら断続的に発光させる場合の方が、ＬＥＤの長寿命化には有効である。
【特許文献１】特開２００７−２８７４２２号公報
【特許文献２】特開２００７−１４１７１５号公報
【発明の開示】
【発明が解決しようとする課題】
【０００４】
しかしながら、上述した特許文献２は、ＬＥＤの分光特性の変化による色再現性の悪化を防止するために、ＬＥＤバックライトにおける各ＬＥＤの電流値の変化幅が小さくなるように制御する技術であって、ＬＥＤを休ませるように制御してＬＥＤの長寿命化を図る等、ＬＥＤの寿命を管理するものではなかった。
【０００５】
本発明の課題は、複数のＬＥＤから成るＬＥＤバックライトを備える液晶表示装置において、各ＬＥＤの寿命を管理することである。
【課題を解決するための手段】
【０００６】
請求項１に記載の発明は、複数のサブ表示領域に分割された液晶パネルと、当該サブ表示領域の各々に対応する複数の光源から成るＬＥＤバックライトと、を備える液晶表示装置において、
前記光源の各々は、複数のＬＥＤを備え、
前記光源毎に、対応する前記サブ表示領域内の画素の画像信号から当該光源の必要とする輝度を算出する算出手段と、
前記光源毎に、前記算出手段により算出された輝度を得るために最低限必要なＬＥＤの数を決定し、決定した数分のＬＥＤを、前記複数のＬＥＤのうちから所定の順番で決定する決定手段と、
前記決定手段により決定されたＬＥＤのみを発光させる発光制御手段と、
を備えることを特徴とする。
【０００７】
請求項２に記載の発明は、請求項１に記載の液晶表示装置において、前記光源毎に、各ＬＥＤの累積発光時間を記憶する記憶手段を備え、
前記決定手段は、前記記憶手段に基づいて、光源毎に、各ＬＥＤの累積発光時間の差が小さくなるように、ＬＥＤを決定することを特徴とする
【０００８】
請求項３に記載の発明によれば、請求項２に記載の液晶表示装置において、前記発光制御手段は、
前記記憶手段に記憶されたＬＥＤの累積発光時間が、予め設定された基準時間を超えた場合に、前記算出手段により算出された前記輝度よりも光源の輝度が高くなるように、ＬＥＤの発光輝度を高くする制御を行う発光輝度制御手段を備えることを特徴とする。
【０００９】
請求項４に記載の発明によれば、請求項１〜３の何れか一項に記載の液晶表示装置において、前記光源内における各ＬＥＤの配置位置を記憶する第２記憶手段と、
前記第２記憶手段に基づいて、前記決定手段により決定されたＬＥＤの配置位置を特定し、特定した配置位置に基づいて、各サブ表示領域における各画素の輝度値を、発光するＬＥＤからの距離により生じる輝度の過不足分を補填するように補正する補正手段と、
を備えることを特徴とする。
【００１０】
請求項５に記載の発明によれば、複数のサブ表示領域に分割された液晶パネルと、当該サブ表示領域の各々に対応する複数の光源から成るＬＥＤバックライトと、を備える液晶表示装置において、
前記光源の各々は、複数のＬＥＤを備え、
前記光源毎に、各ＬＥＤの累積発光時間を記憶する第１記憶手段と、
前記光源内における各ＬＥＤの配置位置を記憶する第２記憶手段と、
前記光源毎に、対応する前記サブ表示領域内の画素の画像信号から当該光源の必要とする輝度を算出する算出手段と、
前記光源毎に、前記算出手段により算出された輝度を得るために最低限必要なＬＥＤの数を決定し、前記第１記憶手段に基づいて、決定した数分のＬＥＤを、各ＬＥＤの累積発光時間の差が小さくなるように、前記複数のＬＥＤのうちから決定する決定手段と、
前記決定手段により決定されたＬＥＤのみを発光させる発光制御手段と、
前記第２記憶手段に基づいて、前記決定手段により決定されたＬＥＤの配置位置を特定し、特定した配置位置に基づいて、各サブ表示領域における各画素の輝度値を、発光するＬＥＤからの距離により生じる輝度の過不足分を補填するように補正する補正手段と、
を備え、
前記発光制御手段は、
前記第１記憶手段に記憶されたＬＥＤの累積発光時間が、予め設定された基準時間を超えた場合に、前記算出手段により算出された前記輝度よりも光源の輝度が高くなるように、ＬＥＤの発光輝度を高くする制御を行う発光輝度制御手段を備えることを特徴とする。
【発明の効果】
【００１１】
本発明によれば、複数のサブ表示領域に分割された液晶パネルと、当該サブ表示領域の各々に対応する複数の光源から成るＬＥＤバックライトと、を備える液晶表示装置において、光源の各々には、複数のＬＥＤが備わり、算出手段により、光源毎に、対応するサブ表示領域内の画素の画像信号から当該光源の必要とする輝度が算出され、決定手段により、光源毎に、算出手段により算出された輝度を得るために最低限必要なＬＥＤの数が決定され、決定した数分のＬＥＤが、前記複数のＬＥＤのうちから所定の順番で決定され、発光制御手段により、決定手段により決定されたＬＥＤのみが発光される。
すなわち、ＬＥＤバックライトを構成する各光源に備わる複数のＬＥＤのうち、算出手段により算出された輝度を得るために最低限必要な数のＬＥＤのみが発光されることとなるため、なるべく少ない数のＬＥＤだけを発光させることができる。また、発光されるＬＥＤは、その光源に備わる複数のＬＥＤのうちから所定の順番で決定されたＬＥＤであるため、各ＬＥＤの非発光時間を確保して放熱させることができる。したがって、全てのＬＥＤを常時発光させる場合と比較して各ＬＥＤの寿命を延ばすことができ、ＬＥＤの寿命を管理することができる。
【発明を実施するための最良の形態】
【００１２】
以下、本発明の実施の形態について図面を参照しながら説明する。なお、発明の範囲は図示例に限定されない。
【００１３】
図１は、本実施形態の液晶表示装置の要部構成を示すブロック図である。
本実施形態の液晶表示装置１００は、例えば、図１に示すように、信号入力部１、映像処理部２、タイミング制御部３、フレームメモリ４、輝度算出部５、液晶パネル６、走査線駆動部７、信号線駆動部８、ＬＥＤバックライト９、バックライト制御部１０、補正部１１、制御部１２等を備える。
【００１４】
本実施形態の液晶パネル６は、その表示領域を予め定められた分割方法で分割した複数のサブ表示領域Ｓ・・・から構成されている。また、液晶パネル６の背面側に配置されているＬＥＤバックライト９も同様に、各サブ表示領域Ｓ・・・に対応する複数の光源Ｌ・・・から構成されている。
【００１５】
図２（ａ）は、本実施形態の液晶パネル６の表示領域を構成するサブ表示領域Ｓを説明するための図であり、図２（ｂ）は、本実施形態のＬＥＤバックライト９を構成する光源Ｌを説明するための図である。
図２（ａ）に示すように、本実施形態の液晶表示装置１００では、液晶パネル６の表示領域が、縦ｎ個×横ｍ個のサブ表示領域Ｓ・・・にマトリクス状に等分割されている。また、図２（ｂ）に示すように、ＬＥＤバックライト９が、サブ表示領域Ｓのそれぞれに対応する縦ｎ個×横ｍ個の光源Ｌ・・・から構成されている。すなわち、液晶パネル６を構成する各サブ表示領域Ｓと、ＬＥＤバックライト９を構成する各光源Ｌとは、一対一の対応関係にある。
後述するように、ＬＥＤバックライト９を構成するこれらの光源Ｌの各々は、対応するサブ表示領域Ｓ内の画素の画像信号から算出された輝度で発光されるようになっている。また、これらの各光源Ｌは、複数のＬＥＤを備えており、複数のＬＥＤのうち、制御部１２により指定されたＬＥＤのみが発光されるようになっている。
【００１６】
なお、以下では、左上のサブ表示領域をＳ（１、１）、右上のサブ表示領域をＳ（ｍ、１）、左下のサブ表示領域をＳ（１、ｎ）、右下のサブ表示領域をＳ（ｍ、ｎ）として説明する。また、サブ表示領域Ｓ（１、１）に対応する左上の光源をＬ（１、１）、サブ表示領域Ｓ（ｍ、１）に対応する右上の光源をＬ（ｍ、１）、サブ表示領域Ｓ（１、ｎ）に対応する左下の光源をＬ（１、ｎ）、サブ表示領域Ｓ（ｍ、ｎ）に対応する右下の光源をＬ（ｍ、ｎ）として説明する。また、その他のサブ表示領域Ｓ及び光源Ｌについても、同様の方法で符号を割り当てることとする。
【００１７】
信号入力部１は、例えば、テレビジョン放送信号を受信するアンテナ及びチューナや、外部装置からの画像信号を受信する各種映像端子等を備えて構成され、入力される画像信号を受信して、映像処理部２に出力する。
【００１８】
映像処理部２は、Ａ／Ｄ変換回路、ＲＧＢ生成回路、画質調整回路等を備えて構成され、信号入力部１から供給される画像信号に基づいて、ＲＧＢのデジタル画像信号を生成し、液晶パネル６の画素数に応じたスケーリング処理を行って、１フレーム分の画像信号を生成する。さらに、１フレーム分の画像信号に対して、制御部１２から出力される画質調整信号に基づいて、ブライトネス、コントラスト、色の濃さ、色合い、シャープネス等の各種画質調整を行った後に、フレームメモリ４に出力する。
【００１９】
タイミング制御部３は、信号入力部１から供給される画像信号に基づいて、１ライン期間を示すタイミング信号と、１フレーム期間を示すタイミング信号とを生成して、液晶表示装置１００の各部に供給する。
【００２０】
フレームメモリ４は、映像処理部２から入力される画像信号をフレーム単位で蓄積する。
輝度算出部５は、後述する算出プログラム１２５ａの実行において、フレームメモリ４に蓄積された１フレーム分の画像信号に基づいて、サブ表示領域Ｓ毎に、サブ表示領域Ｓ内の画素の画像信号を構成する輝度信号から、各サブ表示領域Ｓに対応する各光源Ｌに必要な輝度を算出し、算出した輝度を制御部１２に出力する。
【００２１】
液晶パネル６は、所定の間隔を隔てて配設された一対の基板の間に液晶が封入されて成る。これら一対の基板は、偏光軸が直交した２枚の偏光板で挟まれ、背面側にはＬＥＤバックライト９が配設されている。
基板の上面には、ｐ行の走査線Ｘ（Ｘ１〜Ｘｐ）及びｑ列の信号線Ｙ（Ｙ１〜Ｙｑ）が互いに直交するように配列されている。この液晶パネル６は、例えば、アクティブマトリクス駆動方式を採用しており、走査線Ｘと信号線Ｙの各交点の画素に、アクティブ素子としての薄膜トランジスタ（TFT: Thin Film Transistor）が配設されている。各画素には画素電極が形成され、画素電極に対向して、対向する基板に対向電極が形成されている。また、画素電極と対向電極との対向面にはそれぞれ配向膜が形成されている。
【００２２】
走査線駆動部７は、液晶パネル６における走査線Ｘ（Ｘ１〜Ｘｐ）の各々に対応して設けられており、タイミング制御部３からのタイミング信号に従って、各走査線Ｘを順に選択して、同一の走査線Ｘ上に連なるＴＦＴをオン／オフさせる。
信号線駆動部８は、液晶パネル６における信号線Ｙ（Ｙ１〜Ｙｑ）の各々に対応して設けられており、走査線駆動部７による各走査線Ｘの走査に同期して、映像処理部２から入力される画像信号に応じた電圧を信号線Ｙに対して印加する。
走査線駆動部７及び信号線駆動部８により走査線Ｘと信号線Ｙとが駆動されると、それらの交点にある画素のＴＦＴがオンとなって画素電極に電荷が蓄積され、その画素電極と対向電極との間に挟持されている液晶の配列方向が変化して、配向膜と偏光板とともに、液晶パネル６の背面側に設けられたＬＥＤバックライト９から照射される光を画素単位で通過或いは遮断させる。
【００２３】
上述したように、本実施形態の液晶パネル６の表示領域は、縦ｎ個×横ｍ個のサブ表示領域Ｓ・・・にマトリクス状に分割されている。また、液晶パネル６の背面側に設けられたＬＥＤバックライト９は、液晶パネル６の各サブ表示領域Ｓに対応する縦ｎ個×横ｍ個の光源Ｌ・・・から構成されている。
例えば、本実施形態の液晶パネル６が、７６８行（ｐ行）×１０２４列（ｑ列）の画素から成る場合に、６４行×６４列の画素を含む領域を一つのサブ表示領域Ｓとして表示領域を分割すると、液晶パネル６の表示領域全体が、縦１２個（ｎ個）×横１６個（ｍ個）のサブ表示領域Ｓから構成されることとなる。また、ＬＥＤバックライト９も同様に、縦１２個（ｎ個）×横１６個（ｍ個）の光源Ｌから構成されることとなる。
【００２４】
図３及び図４に、本実施形態のＬＥＤバックライト９を構成する光源Ｌの一つを模式的に示す。図３及び図４に示すように、光源Ｌ（例えば、光源Ｌ（１、１））は、その基板上に４つのＬＥＤを備えている。図３において、４つのＬＥＤは、光源Ｌの中央領域に集められるように配置されている。一方、図４において、４つのＬＥＤは、光源Ｌにおける４つの端部領域にそれぞれ配置されている。
なお、以下の説明では、図３及び図４に示すように、光源Ｌ（１、１）に備わる４つのＬＥＤの中で、左上に位置するＬＥＤを「Ｌ（１、１）ａ」、右上に位置するＬＥＤを「Ｌ（１、１）ｂ」、左下に位置するＬＥＤを「Ｌ（１、１）ｃ」、右下に位置するＬＥＤを「Ｌ（１、１）ｄ」とする。また、その他の各光源Ｌに備わるＬＥＤについても、同様の方法で符号を割り当てて説明する。
【００２５】
ここで、光源Ｌに備わる各ＬＥＤは、出力可能な最大輝度が予め定められており、予め定められた最大輝度を示すデータが図示しない記憶領域に記憶されている。
前述のように、輝度算出部５において各光源Ｌに必要な輝度が算出されて制御部１２に出力されると、これを受けて、制御部１２は、後述する決定プログラム１２５ｂを実行することにより、算出された輝度と各ＬＥＤが出力可能な最大輝度とに基づいて、輝度算出部５により算出された輝度を得るために最低限必要なＬＥＤの数を決定する。
また、最低限必要なＬＥＤの数を決定すると、制御部１２は、次に、決定した数分のＬＥＤを、光源Ｌに備わるＬＥＤの中から選択し、発光させるＬＥＤとして決定する。また、このとき、制御部１２は、第１記憶手段としての管理テーブル１２３に基づいて、光源Ｌに備わる各ＬＥＤの累積発光時間の差が小さくなるように、発光させるＬＥＤを決定する。
発光させるＬＥＤを決定すると、さらに、制御部１２は、後述する発光制御プログラム１２５ｃを実行して、バックライト制御部１０に、発光させるＬＥＤとして決定したＬＥＤのみを発光させることにより、輝度算出部５により算出された輝度で光源Ｌを発光させる制御を実行させる。
これにより、光源Ｌが、なるべく少ない数のＬＥＤにより、輝度算出部５において算出された必要な輝度で発光されることとなる。なお、管理テーブル１２３に基づいて、発光させるＬＥＤを決定する方法については後述する。
【００２６】
バックライト制御部１０は、制御部１２からの指示にしたがって、ＬＥＤバックライト９を構成する各光源Ｌに備わる複数のＬＥＤのうち、制御部１２から指示されたＬＥＤのみを発光させ、各光源Ｌを、対応関係にあるサブ表示領域Ｓ内の画素の画像信号から算出された輝度で発光させる。
【００２７】
ここで、図３のように、光源Ｌの中央領域にＬＥＤを集合させて配置する配置パターンでは、全てのＬＥＤを発光させなくても、サブ表示領域Ｓの画像の輝度ムラが生じないか、或いは、輝度ムラの発生を抑制することができる。例えば、光源Ｌ（１、１）において、中央部左上に配置されたＬＥＤ「Ｌ（１、１）ａ」のみを発光させたとしても、対応するサブ表示領域Ｓ（１、１）の画像における輝度の片寄りは少ない。
【００２８】
一方、図４のように、光源Ｌの４つの端部領域にＬＥＤを分散させて配置するパターンでは、全てのＬＥＤを発光させずに何れか１〜３個のＬＥＤを発光させると、サブ表示領域Ｓの画像に輝度ムラが発生してしまう可能性が高い。例えば、光源Ｌ（１、１）において、左上端部に配置されたＬＥＤ「Ｌ（１、１）ａ」のみを発光させると、対応するサブ表示領域Ｓ（１、１）の画像において、左上端部の領域から離れるほど（特に、右下のＬＥＤ「Ｌ（１、１）ｄ」に対応する領域において）輝度が不足し、輝度の片寄りが目立つ。
図４に示すような輝度ムラが生じる配置パターンでは、後述する補正部１１がサブ表示領域Ｓ内の画像信号の輝度を調整して、輝度ムラを補填する。なお、図３に示す配置パターンであっても、補正部１１による画像信号の輝度の調整を行っても良い。
【００２９】
補正部１１は、発光させるＬＥＤの配置位置に起因して生じる輝度ムラを補填するように、サブ表示領域Ｓ内の画素の輝度を調整する。
具体的には、補正部１１は、サブ表示領域Ｓの画像において、光源Ｌからの光の輝度が、目標の輝度に達していない領域については、その領域内の画素の輝度を高くする補正を行うことで輝度の不足分を補填する。一方、光源Ｌからの光の輝度が、目標の輝度を超える領域については、その領域内の画素の輝度を低くする補正を行うことで輝度の過多分を補填する。これにより、ＬＥＤをどのように配置しても、また、どのＬＥＤを発光させても、輝度ムラを抑制して各画素の必要な輝度に即した適切な表示を行うことができる。
【００３０】
制御部１２は、例えば、ＣＰＵ（Central Processing Unit）１２１、ＣＰＵ１２１のワークエリアとして用いられるＲＡＭ（Random Access Memory）１２２、データの書換え及び消去が可能なＥＥＰＲＯＭ（Electrically Erasable Programmable ROM）からなる第１記憶手段（記憶手段）としての管理テーブル１２３及び第２記憶手段としての配置位置記憶部１２４、ＣＰＵ１２１によって実行される各種プログラムを格納するＲＯＭ１２５（Read Only Memory）等を備えて構成される。
【００３１】
ＣＰＵ１２１は、液晶表示装置１００の各部から入力される入力信号に応じて、ＲＯＭ１２５に格納された各種プログラムを実行するとともに、実行にかかるプログラムに基づいて各部に出力信号を出力することにより、液晶表示装置１００の動作全般を統括制御する。
【００３２】
管理テーブル１２３は、ＬＥＤバックライト９を構成する光源Ｌ毎に、ＬＥＤの累積発光時間を記憶している。
図５に、管理テーブル１２３の一例を示す。図５に例示する管理テーブル１２３では、光源Ｌ（１、１）に備わるＬＥＤ「Ｌ（１、１）ａ」の累積発光時間は「８０５時間」、ＬＥＤ「Ｌ（１、１）ｂ」の累積発光時間は「８００時間」、ＬＥＤ「Ｌ（１、１）ｃ」の累積発光時間は「８４０時間」、ＬＥＤ「Ｌ（１、１）ｄ」の累積発光時間は「８１０時間」と記憶されている。
管理テーブル１２３における各ＬＥＤの累積発光時間は、画像表示時における所定のタイミングで更新される。
【００３３】
また、管理テーブル１２３は、ＬＥＤバックライト９を構成する各光源ＬにおけるＬＥＤの優先順位を記憶している。この優先順位は、後述する優先順位決定タイミングにおける累積発光時間が少ない順に各ＬＥＤに付与したものであり、発光させるＬＥＤとして選択される順番を示している。
例えば、優先順位決定タイミングの時点において、光源Ｌ（ｍ、ｎ）について、ＬＥＤ「Ｌ（ｍ、ｎ）ａ」の累積発光時間が「９００時間」、ＬＥＤ「Ｌ（ｍ、ｎ）ｂ」の累積発光時間が「９２５時間」、ＬＥＤ「Ｌ（ｍ、ｎ）ｃ」の累積発光時間が「９３０時間」、ＬＥＤ「Ｌ（ｍ、ｎ）ｄ」の累積発光時間が「９０５時間」である場合、制御部１２は、ＬＥＤ「Ｌ（ｍ、ｎ）ａ」の優先順位を１位、ＬＥＤ「Ｌ（ｍ、ｎ）ｂ」の優先順位を３位、ＬＥＤ「Ｌ（ｍ、ｎ）ｃ」の優先順位を４位、ＬＥＤ「Ｌ（ｍ、ｎ）ｄ」の優先順位を２位と決定する。
【００３４】
また、この優先順位は、優先順位決定タイミングにおける各ＬＥＤの累積発光時間に基づいて決定された後は、次の優先順位決定タイミングが到来するまで保持される。
ここで、優先順位決定タイミングは、例えば、前回の優先順位決定タイミングから２４時間以上経過したタイミングである。制御部１２は、図示しない計時部により計時される時刻データに基づいて、前回の優先順位決定タイミングから２４時間以上経過したか否かを判断し、２４時間以上経過したと判断すると、優先順位決定タイミングであるとして、ｎ個×ｍ個の光源Ｌの各々について、管理テーブル１２３に記憶された各ＬＥＤの累積発光時間に基づいて、ＬＥＤの優先順位を決定する。すなわち、各光源Ｌについて、ＬＥＤの優先順位が一旦決定されると、２４時間以上経過するまで、この順位が更新されずに保持されることとなる。この方法によれば、１日毎に、全光源Ｌについて一斉にＬＥＤの優先順位が更新されることとなる。
【００３５】
管理テーブル１２３に記憶された上述の優先順位は、後述する決定プログラム１２５ｂの実行において、発光させるＬＥＤを決定するための順番として用いられる。
例えば、図５の管理テーブル１２３の例において、最低限必要なＬＥＤの数が「１」である場合には、光源Ｌ（１、１）に備わる４つのＬＥＤのうち、優先順位が１位のＬＥＤ「Ｌ（１、１）ｂ」が発光させるＬＥＤとして決定される。また、最低限必要なＬＥＤの数が「２」である場合には、ＬＥＤ「Ｌ（１、１）ｂ」に加えて、優先順位２位のＬＥＤ「Ｌ（１、１）ａ」が発光させるＬＥＤとして決定される。また、最低限必要なＬＥＤの数が「３」である場合には、ＬＥＤ「Ｌ（１、１）ｂ」とＬＥＤ「Ｌ（１、１）ａ」とに加えて、優先順位３位のＬＥＤ「Ｌ（１、１）ｄ」が発光させるＬＥＤとして決定される。さらに、最低限必要なＬＥＤの数が「４」である場合には、光源Ｌ（１、１）に備わる４つのＬＥＤ「Ｌ（１、１）ａ」〜ＬＥＤ「Ｌ（１、１）ｄ」が全て発光させるＬＥＤとして決定される。
【００３６】
配置位置記憶部１２４は、縦ｎ個×横ｍ個の各光源Ｌに備わるＬＥＤの配置位置を記憶する。図６及び図７に、配置位置記憶部１２４の一例を示す。
図６は、図３の配置パターンでＬＥＤを配置した場合の配置位置を記憶する配置位置記憶部１２４の一例であり、光源Ｌ（１、１）に備わるＬＥＤ「Ｌ（１、１）ａ」の配置位置は「中央部左上」、ＬＥＤ「Ｌ（１、１）ｂ」の配置位置は「中央部右上」、ＬＥＤ「Ｌ（１、１）ｃ」の配置位置は「中央部左下」、ＬＥＤ「Ｌ（１、１）ｄ」の配置位置は「中央部右下」と記憶されている。
【００３７】
また、図７は、図４の配置パターンでＬＥＤを配置した場合の配置位置を記憶する配置位置記憶部１２４の一例であり、光源Ｌ（１、１）に備わるＬＥＤ「Ｌ（１、１）ａ」の配置位置は「左上端部」、ＬＥＤ「Ｌ（１、１）ｂ」の配置位置は「右上端部」、ＬＥＤ「Ｌ（１、１）ｃ」の配置位置は「左下端部」、ＬＥＤ「Ｌ（１、１）ｄ」の配置位置は「右下端部」と記憶されている。
なお、ＬＥＤの配置位置は、ＬＥＤバックライト９／光源Ｌにおける何らかの数値データにより記憶されていても良い。
【００３８】
また、図示は省略するが、制御部１２における所定の記憶領域には、予め設定された基準時間が記憶されている。
ここで、基準時間とは、後述する発光制御プログラムにおいて、ＬＥＤの発光輝度を高める制御を開始する基準点となる時間であり、ＬＥＤの累積発光時間が当該基準時間を超えた時点以降は、ＬＥＤがより高い輝度で発光される。
この基準時間は、例えば、ＬＥＤが耐え得ると予測される耐用発光時間を示しており、ＬＥＤの累積発光時間がこの基準時間を超えると、少なくとも耐用発光時間分は発光したものとして、その後は、ＬＥＤに流す電流値を上げて、高輝度での画像表示が行われることとなる。
なお、基準時間は、例えば、耐用発光時間（例えば、５０００時間）より短い時間（例えば、４５００時間）が設定されてもよい。この場合、基準時間以降、ＬＥＤを高輝度で発光することにより、耐用発光時間付近でＬＥＤの寿命を尽きさせることができる。
【００３９】
ＲＯＭ１２５は、プログラム格納エリア内に、例えば、算出手段としての算出プログラム１２５ａ、決定手段としての決定プログラム１２５ｂ、発光制御手段としての発光制御プログラム１２５ｃ、補正手段としての補正プログラム１２５ｄ等を備えている。
【００４０】
算出プログラム１２５ａは、例えば、ＣＰＵ１２１に、光源Ｌ毎に、対応するサブ表示領域Ｓ内の画素の画像信号から光源Ｌの必要とする輝度を算出する機能を実現させるためのプログラムである。
具体的には、ＣＰＵ１２１は、輝度算出部５において、１フレーム分の画像信号を分割した各サブ表示領域Ｓ内の画素の画像信号から、対応する光源Ｌに必要な輝度を算出する。
ＣＰＵ１２１は、かかる算出プログラム１２５ａを実行することにより、輝度算出部５とともに算出手段として機能する。
【００４１】
決定プログラム１２５ｂは、例えば、ＣＰＵ１２１に、光源Ｌ毎に、算出プログラム１２５ａの実行により算出された輝度を得るために最低限必要なＬＥＤの数を決定し、管理テーブル１２３に基づいて、決定した数分のＬＥＤを、各ＬＥＤの累積発光時間の差が小さくなるように、複数のＬＥＤのうちから決定する機能を実現させるためのプログラムである。
ＣＰＵ１２１は、かかる決定プログラム１２５ｂを実行することにより、決定手段として機能する。
【００４２】
ここで、決定プログラム１２５ｂの実行における発光させるＬＥＤの決定処理について、より具体的に説明する。
【００４３】
ＣＰＵ１２１は、算出プログラム１２５ａの実行により、光源Ｌ毎に必要な輝度が算出されると、その輝度を得るための最低限必要なＬＥＤの数を決定する。
例えば、各ＬＥＤが出力可能な最大輝度が「５０」である場合に、サブ表示領域Ｓ（１、１）の画像信号から、対応する光源Ｌ（１、１）の必要な輝度が「８０」と算出されると、ＣＰＵ１２１は、算出された輝度「８０」と各ＬＥＤが出力可能な最大輝度（例えば、「５０」）とに基づいて、輝度算出部５により算出された輝度を得るために最低限必要なＬＥＤの数を「２」と決定する。
【００４４】
次に、ＣＰＵ１２１は、決定した数分のＬＥＤ、すなわち２つのＬＥＤを、光源Ｌに備わる４つのＬＥＤの中から決定する。このとき、ＣＰＵ１２１は、管理テーブル１２３に記憶された優先順位を参照して、優先順位の高いＬＥＤから順に２つのＬＥＤを選択して、これらを発光させるＬＥＤとして決定する。
例えば、図５に示すように、光源Ｌ（１、１）について、ＬＥＤ「Ｌ（１、１）ａ」の優先順位が２位、ＬＥＤ「Ｌ（１、１）ｂ」の優先順位が１位、ＬＥＤ「Ｌ（１、１）ｃ」の優先順位が４位、ＬＥＤ「Ｌ（１、１）ｄ」の優先順位が３位である場合、ＣＰＵ１２１は、優先順位１位のＬＥＤ「Ｌ（１、１）ｂ」と、優先順位２位のＬＥＤ「Ｌ（１、１）ａ」とを、発光させるＬＥＤとして決定する。
【００４５】
上述したように、管理テーブル１２３に記憶された優先順位は、所定の優先順位決定タイミングにおいて、累積発光時間が少ないＬＥＤから順に高い順位を付与したものであるため、管理テーブル１２３に記憶された優先順位の高いＬＥＤから順に発光させるＬＥＤとして決定することにより、累積発光時間の少ないＬＥＤを優先的に発光させることができる。すなわち、前回の優先順位決定タイミングの時点で累積発光時間が少なかったＬＥＤほど、次の優先順位決定タイミングまでは優先的に発光させることができる。その一方で、前回の優先順位決定タイミングの時点で累積発光時間が多かったＬＥＤほど、次の優先順位決定タイミングまではなるべく発光させずに休ませることが可能となる。
【００４６】
ここで、ＬＥＤバックライト９に備わるＬＥＤを、単純に必要な時間だけ発光させていくと、次第に各ＬＥＤの累積発光時間に片寄りが生じて、早くに寿命を迎えるＬＥＤが生じ、その結果、ＬＥＤバックライト９全体の寿命が短くなる恐れがある。
そのため、本実施形態の液晶表示装置１００では、なるべく少ない数のＬＥＤを発光させる制御を行うことに加え、上述のように、ＬＥＤバックライト９における各ＬＥＤの累積発光時間の差が小さくなるように発光させるＬＥＤを決定することで、各ＬＥＤの累積発光時間の片寄りを防止することとした。これにより、各ＬＥＤの寿命が平均化され、ＬＥＤバックライト９全体の長寿命化を図ることができる。
【００４７】
また、優先順位決定タイミングの間隔が十分に長くない場合、優先順位が次々と更新され、累積発光時間の多いＬＥＤを、放熱が完了するまで十分に休ませることができない可能性がある。
そのため、本実施形態の液晶表示装置１００では、上述したように、優先順位決定タイミングにおいて優先順位を決定すると、２４時間以上経過するまでは優先順位を更新せずに保持することとした。このように、優先順位決定の間隔を長く設定することで、累積発光時間が多いＬＥＤの非発光時間を十分に確保することが可能となり、各ＬＥＤの寿命を延ばしてＬＥＤバックライト９の更なる長寿命化を図ることができる。
【００４８】
発光制御プログラム１２５ｃは、例えば、ＣＰＵ１２１に、決定プログラム１２５ｂにより決定されたＬＥＤのみを発光させる機能を実現させるためのプログラムである。
具体的には、ＣＰＵ１２１は、決定プログラム１２５ｂの実行において、光源Ｌ（１、１）について、優先順位決定タイミングにおける累積発光時間の少ないＬＥＤから順に、ＬＥＤ「Ｌ（１、１）ｂ」と、ＬＥＤ「Ｌ（１、１）ａ」とが、発光させるＬＥＤとして決定されると、バックライト制御部１０により、これら２つのＬＥＤのみを発光させ、輝度算出部５により算出された必要な輝度で光源Ｌ（１、１）を発光させる。
このとき、ＣＰＵ１２１は、ＬＥＤ「Ｌ（１、１）ｂ」、ＬＥＤ「Ｌ（１、１）ａ」を、必要な輝度をＬＥＤの数で等分割した同じ輝度で発光させても良い。或いは、優先順位が高いＬＥＤを、そのＬＥＤが出力可能な最大輝度で発光させ、必要な輝度に達しない分の輝度を、優先順位の低いＬＥＤで補うように発光させても良い。
【００４９】
また、発光制御プログラム１２５ｃは、ＣＰＵ１２１に、管理テーブル１２３に記憶されたＬＥＤの累積発光時間が、予め設定された基準時間を超えた場合に、算出プログラム１２５ａにより算出された輝度よりも光源Ｌの輝度が高くなるようにＬＥＤの発光輝度を高くする制御を行う機能を実現させるためのプログラムである。
上述したように、予め設定された基準時間（例えば、４５００時間）は、ＬＥＤの発光輝度を高くする制御を開始する時点を規定しており、例えば、ＬＥＤバックライト９に備わる全ＬＥＤの累積発光時間が基準時間を超えた場合に、ＬＥＤがより高い輝度で発光される制御が開始される。これにより、ＬＥＤの累積発光時間が、予め設定された基準時間を超えた後は、高輝度での画像表示が行われることとなる。また、ＬＥＤの発光輝度を上げることにより、ＬＥＤの輝度を上げずに駆動する場合と比較して、ＬＥＤの残りの耐用発光時間が短くすることができるため、ＬＥＤの実際の耐用発光時間を予め設定された耐用発光時間に近づけることができる。
【００５０】
なお、ＬＥＤの累積発光時間が基準時間を超えたか否かの判断は、全ＬＥＤの累積発光時間が基準時間を超えたとの判断でなくともよく、例えば、累積発光時間が基準時間を超えたＬＥＤが一つでも存在する場合に、ＬＥＤの累積発光時間が基準時間を超えたと判断しても良い。また、ＬＥＤバックライト９に備わる全ＬＥＤの累積発光時間に基づく所定の統計値（例えば、平均値）が基準時間を超えた場合に、ＬＥＤの累積発光時間が基準時間を超えたと判断しても良い。
ＣＰＵ１２１は、かかる発光制御プログラム１２５ｃを実行することにより、バックライト制御部１０とともに、発光制御手段及び発光輝度制御手段として機能する。
【００５１】
補正プログラム１２５ｄは、例えば、ＣＰＵ１２１に、配置位置記憶部１２４に基づいて、決定プログラム１２５ｂにより決定されたＬＥＤの配置位置を特定し、特定した配置位置に基づいて、各サブ表示領域Ｓにおける各画素の輝度値を、発光するＬＥＤからの距離により生じる輝度の過不足分を補填するように補正する機能を実現させるためのプログラムである。
具体的には、ＣＰＵ１２１は、上述したように、光源Ｌに備わる全てのＬＥＤを発光させない場合において、発光させるＬＥＤの配置位置に起因するサブ表示領域Ｓの画像の輝度ムラを補填するように、サブ表示領域Ｓ内の画素の輝度を調整する。
例えば、図４に示すように、光源Ｌ（１、１）において、４つのＬＥＤを光源Ｌの端部領域に分散させるように配置した配置パターンにおいて、左上のＬＥＤ「Ｌ（１、１）ａ」のみを発光させた場合、対応するサブ表示領域Ｓ（１、１）の画像において、左上端部の領域から離れるほど輝度が不足する。このような場合、ＣＰＵ１２１は、補正部１１に、サブ表示領域Ｓ（１、１）の画像信号に対して、左上端部の領域から離れるほど画像信号の輝度を高くする補正を行わせる。また、サブ表示領域Ｓの画像において目標の輝度よりも輝度が高くなる領域がある場合には、ＣＰＵ１２１は、補正部１１に、その領域における画像信号の輝度を低くする補正を行わせる。
ＣＰＵ１２１は、かかる補正プログラム１２５ｄを実行することにより、補正手段として機能する。
【００５２】
次に、図８のフローチャートを参照しながら、本実施形態の液晶表示装置１００において行われる発光制御処理の流れについて説明する。なお、ここでは、互いに対応関係にある一組のサブ表示領域Ｓ及び光源Ｌに対する処理のみについて説明する。
【００５３】
まず、ＣＰＵ１２１は、ステップＳ１において、輝度算出部５により、サブ表示領域Ｓ内の画素の画像信号から、光源Ｌに必要な輝度を算出する。
次いで、ＣＰＵ１２１は、ステップＳ２において、輝度算出部５により算出された輝度と各ＬＥＤが出力可能な最大輝度とに基づいて、光源Ｌにおける最低限必要なＬＥＤの数を決定する。
次いで、ＣＰＵ１２１は、ステップＳ３において、管理テーブル１２３を参照して、管理テーブル１２３に記憶された優先順位の高いＬＥＤから順に、ステップＳ２において決定された数のＬＥＤを発光させるＬＥＤとして決定する。
次いで、ＣＰＵ１２１は、ステップＳ４において、発光させるＬＥＤが光源Ｌに備わる全てのＬＥＤでない場合に、配置位置記憶部１２４に基づいて、発光させるＬＥＤの配置位置を特定し、特定した配置位置に基づいて、補正部１１により、サブ表示領域Ｓ内の画素の輝度値を補正する。
次いで、ＣＰＵ１２１は、ステップＳ５において、液晶パネル６の走査と同期して、バックライト制御部１０により、ステップＳ３において決定されたＬＥＤを発光させ、各サブ表示領域Ｓ内の画素の画像信号から算出された輝度で各光源Ｌを発光させ、本処理を終了する。
【００５４】
以上説明した本実施形態における液晶表示装置１００によれば、複数のサブ表示領域Ｓに分割された液晶パネル６と、当該サブ表示領域Ｓの各々に対応する複数の光源Ｌから成るＬＥＤバックライト９と、が備わり、光源Ｌの各々には、複数のＬＥＤが備わり、第１記憶手段（記憶手段）（管理テーブル１２３）により、光源Ｌ毎に、各ＬＥＤの累積発光時間が記憶され、第２記憶手段（配置位置記憶部１２４）により、光源Ｌ内における各ＬＥＤの配置位置が記憶される。また、算出手段（輝度算出部５、ＣＰＵ１２１、算出プログラム１２５ａ）により、光源Ｌ毎に、対応するサブ表示領域Ｓ内の画素の画像信号から当該光源Ｌの必要とする輝度が算出され、決定手段（ＣＰＵ１２１、決定プログラム１２５ｂ）により、光源Ｌ毎に、算出手段（輝度算出部５、ＣＰＵ１２１、算出プログラム１２５ａ）により算出された輝度を得るために最低限必要なＬＥＤの数が決定され、第１記憶手段（記憶手段）（管理テーブル１２３）に基づいて、決定した数分のＬＥＤが、各ＬＥＤの累積発光時間の差が小さくなるように、複数のＬＥＤのうちから決定され、発光制御手段（バックライト制御部１０、ＣＰＵ１２１、発光制御プログラム１２５ｃ）により、決定手段（ＣＰＵ１２１、決定プログラム１２５ｂ）により決定されたＬＥＤのみが発光され、補正手段（ＣＰＵ１２１、補正プログラム１２５ｄ）により、第２記憶手段（配置位置記憶部１２４）に基づいて、決定手段（ＣＰＵ１２１、決定プログラム１２５ｂ）により決定されたＬＥＤの配置位置が特定され、特定された配置位置に基づいて、各サブ表示領域Ｓにおける各画素の輝度値が、発光するＬＥＤからの距離により生じる輝度の過不足分を補填するように補正される。さらに、発光制御手段（ＣＰＵ１２１、発光制御プログラム１２５ｃ）に備わる発光輝度制御手段（バックライト制御部１０、ＣＰＵ１２１、発光制御プログラム１２５ｃ）により、第１記憶手段（管理テーブル１２３）に記憶されたＬＥＤの累積発光時間が、予め設定された基準時間を超えた場合に、算出手段（輝度算出部５、ＣＰＵ１２１、算出プログラム１２５ａ）により算出された輝度よりも光源Ｌの輝度が高くなるように、ＬＥＤの発光輝度を高くする制御が行われる。
すなわち、ＬＥＤバックライト９を構成する各光源Ｌに備わる複数のＬＥＤのうち、算出手段により算出された輝度を得るために最低限必要な数のＬＥＤのみが発光されることとなるため、なるべく少ない数のＬＥＤだけを発光させることができる。また、発光されるＬＥＤは、その光源に備わる複数のＬＥＤのうちから所定の順番で決定されたＬＥＤであるため、各ＬＥＤの非発光時間を確保して放熱させることができる。したがって、全てのＬＥＤを常時発光させる場合と比較して各ＬＥＤの寿命を延ばすことができ、ＬＥＤの寿命を管理することができる。
【００５５】
また、発光させるＬＥＤは、光源Ｌに備わる複数のＬＥＤの累積発光時間の差が小さくなるように決定されるため、各ＬＥＤの累積発光時間を平均化することができる。したがって、ＬＥＤバックライト９を構成する各ＬＥＤの寿命を平均化して、ＬＥＤバックライト９の長寿命化を確実に図ることができる。
【００５６】
また、ＬＥＤの累積発光時間が、予め設定された基準時間を超えた後は、発光制御手段によりＬＥＤの発光輝度が予め設定された設定値よりも高められ、高輝度での画像表示が行われることとなる。さらに、ＬＥＤの発光輝度を上げることにより、ＬＥＤの輝度を上げずに駆動する場合と比較して、ＬＥＤの残りの耐用発光時間が短くして、ＬＥＤの実際の耐用発光時間を予め設定された耐用発光時間に近づけることができ、ＬＥＤの寿命をより細かく管理することができる。
【００５７】
また、光源Ｌにおける各ＬＥＤに基づいて、対応するサブ表示領域Ｓの画素の輝度値が、発光するＬＥＤからの距離による輝度の過不足分を補填するように補正されるため、ＬＥＤをどのように配置しても、発光させるＬＥＤの配置位置に起因する画質への悪影響を防止して、適切な画像表示が可能となる。
【００５８】
なお、本発明の範囲は上記実施形態に限られることなく、本発明の趣旨を逸脱しない範囲において種々の改良並びに設計の変更を行っても良い。
【００５９】
例えば、サブ表示領域Ｓ及び光源Ｌの分割数及び分割方法は任意であり、少なくとも２つ以上の領域に分割されればよく、また、等分割でなくとも良い。
また、光源Ｌに備わるＬＥＤの数及び配置位置は、上記実施形態の例に限られない。
【００６０】
また、上記実施形態では、優先順位決定タイミングを、前回の優先順位決定タイミングから２４時間以上経過したタイミングとしたが、優先順位決定タイミングはこれに限られず、前回の優先順位決定タイミングから少なくともＬＥＤの熱を十分に放熱させるだけの時間が経過したタイミングであれば良い。
【００６１】
また、上記実施形態では、発光させるＬＥＤの決定基準となる優先順位を、光源Ｌにおける各ＬＥＤの累積発光時間に基づいて決定することとしたが、累積発光時間以外に、ＬＥＤの寿命を左右する他の要因（例えば、ＬＥＤに印加した電圧値、発光間隔等）に基づいて、優先順位を決定することとしても良い。
【図面の簡単な説明】
【００６２】
【図１】本実施形態における液晶表示装置の要部構成を例示するブロック図である。
【図２】図２（ａ）は、液晶パネルの表示領域を構成するサブ表示領域について説明する図であり、図２（ｂ）は、各サブ表示領域に対応して設けられた光源について説明する図である。
【図３】本実施形態のＬＥＤバックライトを構成する光源の一つを模式的に示す図である。
【図４】本実施形態のＬＥＤバックライトを構成する光源の一つを模式的に示す図である。
【図５】管理テーブルの一例である。
【図６】図３の光源に対応する配置位置記憶部の一例である。
【図７】図４の光源に対応する配置位置記憶部の一例である。
【図８】本実施形態の液晶表示装置において行われる発光制御処理の流れを示すフローチャートである。
【符号の説明】
【００６３】
１００      液晶表示装置
６          液晶パネル
９          ＬＥＤバックライト
１０        バックライト制御部（発光制御手段）
１１        補正部（補正手段）
１２１      ＣＰＵ（算出手段、決定手段、発光制御手段、補正手段）
１２３      管理テーブル（第１記憶手段、記憶手段）
１２４      配置位置記憶部（第２記憶手段）
１２５ａ    算出プログラム（算出手段）
１２５ｂ    決定プログラム（決定手段）
１２５ｃ    発光制御プログラム（発光制御手段）
１２５ｄ    補正プログラム（補正手段）
Ｌ（１、１）〜Ｌ（ｍ、ｎ）      光源
Ｌ（１、１）ａ〜Ｌ（ｍ、ｎ）ｄ  ＬＥＤ
Ｓ（１、１）〜Ｓ（ｍ、ｎ）      サブ表示領域
【図１】
2010026208.tif 000003
【図２】
2010026208.tif 000004
【図３】
2010026208.tif 000005
【図４】
2010026208.tif 000006
【図５】
2010026208.tif 000007
【図６】
2010026208.tif 000008
【図７】
2010026208.tif 000009
【図８】
2010026208.tif 000010